(57)【特許請求の範囲】
【請求項１】
接触式通信を行なうための接続手段と、
非接触式通信を行なうためのアンテナ部と、
マイクロコンピュータと、
上記マイクロコンピュータに接続された不揮発性メモリと、
上記マイクロコンピュータを介して上記不揮発性メモリへアクセス可能な第１の通信手段と、
上記マイクロコンピュータを介することなく上記不揮発性メモリへアクセス可能な第２の通信手段と、
上記マイクロコンピュータ、上記不揮発性メモリ、及び、上記第１の通信手段へ駆動電力を出力する電源回路と、
を有し、
上記第１の通信手段は、上記電源回路の動作中に、カメラシステム外部から上記接続手段を介して受ける通信に応じて上記不揮発性メモリへアクセスを行ない、
上記第２の通信手段は、上記電源回路の非動作中に、カメラシステム外部から上記アンテナ部を介して受ける電磁波に応じて上記不揮発性メモリへアクセスを行うと共に、この電磁波からアクセスに必要な電力を得ることを特徴とするカメラシステム。
【請求項２】
上記アンテナ部は、撮影レンズの周辺部に配置されることを特徴とする請求項１に記載のカメラシステム。
【請求項３】
上記アンテナ部は、カメラシステムのボディの背面部に配置されることを特徴とする請求項１に記載のカメラシステム。
【請求項４】
上記不揮発性メモリは、第１と第２の情報記憶エリアを有し、上記第１の通信手段は、上記第１と第２の情報記憶エリアにアクセス可能であり、上記第２の通信手段は、上記第１の情報記憶エリアのみにアクセス可能であることを特徴とする請求項１乃至３のいずれか一項に記載のカメラシステム。
【発明の詳細な説明】
【０００１】
【発明の属する技術分野】
本発明は、被写体像を撮影記録する際の各種機能や操作を電気的に駆動制御する各種カメラにおいて、前記カメラの機能や操作を電気的に駆動制御する各種データを書込記録されている不揮発性メモリのデータ書込及び読み出しを接触式及び非接触式の通信方式で行うことを可能とするカメラシステムに関する。
【０００２】
【従来の技術】
各種電子機器において、その機器の動作や操作機能をマイクロコンピュータを用いて電気的に駆動制御されるようになっている。このマイクロコンピュータを用いて駆動制御させるためには、不揮発性メモリに駆動制御させる各種情報データを記憶させ、その情報データを基に機器の動作と操作機能の駆動制御が行われている。
【０００３】
例えば、銀塩撮影カメラにおいて、被写体距離や被写体輝度を測定する測定器と、この測定器で測定した距離値と輝度値とを基に、撮影光学レンズ系の焦合位置、絞り開口、及びシャッタ速度等を演算し、この演算された値を用いて電気的駆動制御器を用いて光学レンズの焦合設定、絞り開口設定及びシャッタ速度設定等を行うと共に、銀塩フィルムの撮影済駒の巻き取りや撮影終了時の巻き戻し等も前記電気的駆動制御により行われ、撮影者は、銀塩フィルムをカメラに装填することと、被写体をファインダで確認して、レリーズボタンを操作するのみで銀塩撮影が可能な自動撮影カメラが主流となっている。
【０００４】
これら自動撮影カメラの各種電気駆動制御のための演算や駆動制御のデータ（以下、操作駆動制御データという）は、不揮発性メモリに記憶されており、この記憶されているデータをマイクロコンピュータで読み出し、カメラの各種操作部の操作制御が行われている。
【０００５】
この不揮発性メモリには、ＥＥＰＲＯＭが用いられており、カメラの操作駆動制御データ以外に、例えば、距離測定や輝度測定のバラツキを補正する制御パラメータも記憶されており、さらに、カメラの販売地域に応じてカメラ仕様を変更する為のデータも記憶されている。
【０００６】
この不揮発性メモリに書込記憶する前述の各種操作駆動制御データや制御パラメータ及び仕様に関するデータ（以下、情報データという）は、一般には、カメラの組立製造工程において、書込記憶させているが、前記カメラの販売地域に応じたカメラ仕様の変更は、カメラ完成後に変更書き換えられて市場に供されている。
【０００７】
【発明が解決しようとする課題】
従来の自動撮影カメラは、各種カメラを駆動制御する情報データが不揮発性メモリに記憶させており、この記憶されている情報データをマイクロコンピュータで読み出し、前記カメラの各種操作部の駆動制御を行っている。前記不揮発性メモリに記憶される前記情報データは、カメラの組立製造工程で書込記憶されているが、カメラの完成後に前記情報データの検査や書換を行う場合には、銀塩フィルム感度検出用のＤＸ端子やストロボ発光制御通信端子にデータ検査または書換用の外部コンピュータ機器を接続して、カメラに内蔵したマイクロコンピュータを介して行っている。
【０００８】
このＤＸ端子やストロボ通信端子を用いて前記情報データの検査や書換を行う際には、特殊なコンタクトピンやこのコンタクトピンをカメラ本体に固定するための冶具等が必要であり、また、前記ＤＸ端子やストロボ通信端子が使用できない場合には、カメラ本体の外装を取り外して、カメラ内部のマイクロコンピュータが搭載された回路基板に設けられた端子を用いて外部コンピュータ機器を接続する必要がある。このため、情報データの検査や書換作業が繁雑となり、また、前記コンタクトピン取付冶具をカメラ本体に取り付けたり、あるいは、カメラの外装を取り外したりする際に、カメラボディを傷付けてしまうこともある。
【０００９】
このように従来の自動撮影カメラは、カメラ内部の不揮発性メモリに収納記憶されている各種情報データを検査や書換る際の作業が繁雑で、かつ、カメラボディを傷付ける課題があった。
【００１０】
本発明は、カメラ本体に非接触で、カメラを制御する各種データを記憶した不揮発性メモリのデータ内容を検査、書き換えを可能としたカメラシステムを提供することを目的とする。
【００１１】
【課題を解決するための手段】
本発明の一態様によるカメラシステムは、接触式通信を行なうための接続手段と、非接触式通信を行なうためのアンテナ部と、マイクロコンピュータと、上記マイクロコンピュータに接続された不揮発性メモリと、上記マイクロコンピュータを介して上記不揮発性メモリへアクセス可能な第１の通信手段と、上記マイクロコンピュータを介することなく上記不揮発性メモリへアクセス可能な第２の通信手段と、上記マイクロコンピュータ、上記不揮発性メモリ、及び、上記第１の通信手段へ駆動電力を出力する電源回路と、を有し、上記第１の通信手段は、上記電源回路の動作中に、カメラシステム外部から上記接続手段を介して受ける通信に応じて上記不揮発性メモリへアクセスを行ない、上記第２の通信手段は、上記電源回路の非動作中に、カメラシステム外部から上記アンテナ部を介して受ける電磁波に応じて上記不揮発性メモリへアクセスを行うと共に、この電磁波からアクセスに必要な電力を得る。
【００１２】
本発明のカメラシステムにおいて、上記アンテナ部は、撮影レンズの周辺部に配置される。
【００１３】
本発明のカメラシステムにおいて、上記アンテナ部は、カメラシステムのボディの背面部に配置される。
【００１４】
本発明のカメラシステムにおいて、上記不揮発性メモリは、第１と第２の情報記憶エリアを有し、上記第１の通信手段は、上記第１と第２の情報記憶エリアにアクセス可能であり、上記第２の通信手段は、上記第１の情報記憶エリアのみにアクセス可能である。
【００１７】
【発明の実施の形態】
以下、図面を参照して本発明の実施の形態について詳細に説明する。図１は本発明に係るカメラシステムの一実施形態の全体構成を示すブロック図で、図２は本発明のカメラシステムに用いる不揮発性メモリのマップを説明する説明図で、図３は本発明のカメラシステムに用いる不揮発性メモリに記憶するカメラ動作モード内容を説明する説明図で、図４は本発明に係るカメラシステムの全体動作を説明するフローチャートで、図５は本発明に係るカメラシステムのマイクロコンピュータの動作を説明するフローチャートで、図６は本発明に係るカメラシステムのテスト動作を説明するフローチャートである。
【００１８】
近年、非接触でセキュリティ管理、商品管理、生産管理、及び自動改札等の交通管理等のシステムが開発実用化されている。この非接触の管理システムは、付帯物に電磁波による発信機能を有したデータキャリアを付加し、そのデータキャリアから送信された信号を受信するコントローラとを有し、双方向に情報交換を行い、かつ、情報の読込及び書込も可能なシステムである。
【００１９】
本発明は、前記非接触による情報の読込及び書込を行うためのＲＦＩＤ（Radio Frequency Identification)用ＬＳＩ素子を用いて、カメラに内蔵されている不揮発性メモリに記憶される各種制御データも書込及び書換可能である点に着目してなされたものである。
【００２０】
図１を用いて本発明に係るカメラシステムの全体構成を説明する。
図中の符号１１は、銀塩撮影カメラの全体システム構成を示しており、撮影レンズ１２を介して入射された被写体像は、絞り１３とシャッタ１４を介して、銀塩フィルム１５に結像されるようになっている。前記撮影レンズ１２を介して入射された被写体像は、図示していない被写体像反射機能や分割機能により、反射及び分光される。前記撮影レンズ１２には、焦点調節機能１６が設けられ、前記分割機能で、例えば、２像分割されて、その２像間の位相差を基に撮影レンズ１２を光軸上摺動移動させて、被写体像の結像焦合調節がなされる。前記絞り１３は、絞り制御機構１７により、撮影レンズ１２を透過した被写体像の光量を制御する。前記シャッタ１４は、シャッタ制御機構１８により、所定のシャッタスピードで開閉して被写体像を銀塩フィルム１５に露光させる。前記銀塩フィルム１５は、フィルム給送機構１９により、カメラシステム１１に銀塩フィルムカートリッジを装填した際に、所定の撮影駒位置に給送され、撮影した際に１駒分巻き上げたり、あるいは撮影終了時に巻き戻される。前記銀塩フィルム１５の被写体像露光後の１駒巻き上げ時には、情報記録回路２０からの撮影日付情報、タイトル情報、及び撮影情報などが供給されて、銀塩フィルム１５に記録される。
【００２１】
前記焦点調節機構１６、絞り制御機構１７、シャッタ制御機構１８、フィルム給送機構１９、及び情報記録回路２０は、マイクロコンピュータ（以下、マイコンという）２６に接続されており、このマイコン２６の制御信号の基で駆動制御される。このマイコン２６には、測距回路２１、測光回路２２、表示回路２３，操作スイッチ２４、及び時計回路２５が接続されている。
【００２２】
前記測距回路２１は、撮影レンズ１２から入射された被写体像を２分割して、その位相差から被写体までの距離を測定し、その測定された距離値から前記マイコン２６により演算処理されて合焦位置情報を求め前記焦点調節機構１６を駆動制御する。なお、焦点調節機構１６には、前記撮影レンズ１２の現在位置を検出するセンサが設けられており、このセンサで検出した撮影レンズ１２の現在位置情報と前記マイコンで演算した合焦位置情報とにより、撮影レンズ１２を合焦位置に摺動移動させる。
【００２３】
前記測光回路２２は、前記被写体像から被写体輝度値を測定する。この測光回路２２で測定された被写体輝度値と図示していない銀塩フィルムの感度データ読み取り手段で読み取ったフィルム感度値とからマイコン２６で、絞り１３の絞り開口値とシャッタ１４のシャッタスピード値を演算し、その演算された絞り値とシャッタスピード値を基に前記絞り制御機構１７とシャッタ制御機構１８を駆動制御する。
【００２４】
前記表示回路２３は、マイコン２６からの制御信号の基でカメラの動作及び操作状態を図示していないカメラ本体に設けられている表示部に表示するための表示信号生成回路である。
【００２５】
前記操作スイッチ２４は、前記測距回路２１及び測光回路２２を駆動させて測距・測光の駆動指示を与える第１のレリーズスイッチ、焦点調節機構１６及びシャッタ制御機構１８を駆動制御して被写体像を露光させる第２のレリーズスイッチ、図示していないストロボ発光オン／オフスイッチ、及びカメラ全体を駆動する駆動電力をオン／オフする電源スイッチ等の各種スイッチである。
【００２６】
前記時計回路２５は、前記情報記録回路２０から銀塩フィルム１５に書き込む日付情報を生成する。
【００２７】
前記マイコン２６及び各種機構・回路１６〜２５は、電池２７から電源回路２８を介して、駆動電力が供給されている。前記電源回路２８は、ＤＣ／ＤＣコンバータやレギュレータ等から構成されて、電池２７から供給された電流電圧の安定化や各回路への分配を行っている。
【００２８】
さらに、前記マイコン２６には、ＥＥＰＲＯＭを用いた不揮発性メモリ２９が通信ライン３０を介して接続されている。また、前記マイコン２６は、通信インターフェイス回路３１と通信ライン接続手段３２及び通信ケーブル４２を介してコンピュータ機器を用いた外部制御装置４１に接続されている。
【００２９】
前記不揮発性メモリ２９の詳細は後述するが、言語モード、カメラ動作モード、ＡＦパラメータ、ＡＥパラメータ、シャッタパラメータ、及び電源パラメータ等の各種情報データが記憶されるメモリである。
【００３０】
前記通信インターフェイス回路３１は、マイコン２６を外部制御装置４１と情報データ通信を行う際のインターフェイスである。前記通信ライン接続手段３２は、前記各種回路機能２０〜２３、２５、２８、３１、マイコン２６，及び不揮発性メモリ２９等が搭載された回路基板に設けられた接続用端子である。この接続端子に代えて、図示していない銀塩フィルム１５のカートリッジに記載されているフィルム感度情報を読み取るＤＸ端子を用いることもある。
【００３１】
前記外部制御装置４１は、通信ケーブル４２、通信ライン接続手段３２、通信インターフェイス回路３１及び前記マイコン２６を介して不揮発性メモリ２９にアクセスして、各種情報データの書込及び書換等を行う。なお、この外部制御装置４１を通信ケーブル４２、通信ライン接続手段３２、通信インターフェイス回路３１及びマイコン２６を介して不揮発性メモリ２９にアクセスすることを本明細書では接触式通信と呼ぶこととする。
【００３２】
前記不揮発性メモリ２９には、データキャリアの一種であるＲＦＩＤの技術を用いた非接触式通信ユニット３３も接続されている。この非接触式通信ユニット３３は、通信コイル３４、整流回路３５、レギュレータ３６、復調回路３７、変調回路３８，制御回路３９及び通信禁止回路４０から構成されている。
【００３３】
通信コイル３４は、後述する非接触式通信コントローラ４３との間で無線周波数帯の電磁波を送受信する。整流回路３５は、前記通信コイル３４で受信した非接触式通信コントローラ４３からの電磁波電力を整流して、非接触式通信ユニット３３の駆動電力を作り出すものである。また、この駆動電力は不揮発性メモリ２９へも供給される。レギュレータ３６は、整流回路３５からの整流出力の安定化を図るものである。復調回路３７は、前記通信コイル３４で受信した情報データ通信電波に含まれる情報データを復調して、制御回路３９に供給するものである。前記情報データには、不揮発性メモリ２９のアドレス、ライト又はリードのコマンド情報等が含まれている。変調回路３８は制御回路３９から供給された情報データに基づいて搬送波変調して前記通信コイル３４から非接触式通信コントローラ４３へ送信するものである。制御回路３９は、不揮発性メモリ２９に対して情報データの書込及び読込制御を行うものである。通信禁止回路４０は、前記マイコン２６からの制御の基で、非接触式通信ユニット３３による不揮発性メモリ２９への情報データの書込及び読込の禁止制御を行うものである。
【００３４】
なお、前記非接触式通信ユニット３３は、前記整流回路３５で整流された駆動電力で駆動するために、前記電池２７が接続されていない（カメラシステム１１に電池２７が装填されていない）場合でも動作可能で、前記外部制御装置４１と後述する非接触式通信コントローラ４３を介して不揮発性メモリ２９との情報データ通信が可能となっている。
【００３５】
前記外部制御装置４１は、非接触式通信コントローラ４３が接続可能となっており、この非接触式通信コントローラ４３は、通信インターフェイス回路４４と、復調回路４５と及び変調回路４６で構成され、この復調回路４５と変調回路４６とは通信アンテナ４７が接続されている。この非接触式通信コントローラ４３は、前記外部制御装置４１の制御指令の基で、前記非接触式通信ユニット３３を介して、前記不揮発性メモリ２９の情報データとアクセスするものである。この非接触式通信コントローラ４３の通信インターフェイス回路４４は、外部制御装置４１と復調回路４５と変調回路４６の情報データ通信のインターフェイスで、復調回路４５は、前記非接触式通信ユニット３３から送信された情報データ通信電波を復調し、変調回路４６は、外部制御装置４１からの情報データを搬送波変調して、前記非接触通信ユニット３３へと発信するものである。
【００３６】
前記マイコン２６には、通信許可端子４８が設けられている。この通信許可端子４８は、前記各種回路２０〜４０を搭載した回路基板に設けられた端子で、前記非接触式通信ユニット３３の通信禁止回路４０の動作を停止させるためのもので、通信許可端子４８を短絡することで、前記禁止回路４０の動作を停止させ、非接触式通信ユニット３３と非接触式通信コントローラ４３の情報データ通信を可能とする。
【００３７】
前述したように、カメラシステムを制御する各種情報データを書込記憶されている不揮発性メモリ２９は、非接触式通信ユニット３３と非接触式通信コントローラ４３とを介して外部制御装置４１とアクセスする非接触通信方式と、通信ライン３０、マイコン２６及び通信インターフェイス回路３１を介して外部制御装置４１とアクセスする接触通信方式とを有する。この２つの通信方式で同時に前記不揮発性メモリ２９にアクセスさせると情報データに混乱と不都合が生じる為に、前記マイコン２６で通信禁止回路４０を駆動制御して、非接触式通信ユニット３３の動作を停止させたり、動作させたりしている。
【００３８】
この通信禁止回路４０は、マイコン２６が動作中は常に非接触式通信ユニット３３を非動作状態となるように制御される。従って、マイコン２６が動作中に非接触通信方式による不揮発性メモリ２９に対するアクセスは出来ない。ただし、マイコン２６又は通信許可端子４８により通信禁止回路４０を非動作状態とすると、マイコン２６が動作中であっても非接触通信方式によるアクセスは可能である。また、外部制御装置４１がカメラシステム１１と通信ケーブル４２で接続された際に、外部制御装置４１からマイコン２６に対して通信禁止回路４０を非動作状態とする指令を供給することも可能である。
【００３９】
次に、前記不揮発性メモリ２９に書込記憶される情報データの内容とその情報データの記憶エリアについて、図２のメモリマップを用いて説明する。
前記不揮発性メモリ２９は、ＥＥＰＲＯＭが用いられており、第１の情報データ記憶エリア（以下、第１エリアという）５１と第２の情報データ記憶エリア（以下、第２エリアという）５２とに大きく２つの記憶エリアに分割されている。
【００４０】
第１エリア５１は、非接触通信方式でアクセスが可能なエリアで、第２エリア５２は非接触通信方式によるアクセスはできないように制限されたエリアである。つまり、第１エリア５１は、非接触通信方式と接触通信方式のいずれでもアクセス可能で、第２エリア５２は、接触通信方式のみアクセス可能で、非接触通信方式ではアクセスできない。
【００４１】
この第１エリア５１と第２エリア５２の境界（図中※１）を示すアドレスがＢＡＮＫアドレスである。このＢＡＮＫアドレスは、第１エリア５１の所定の位置、例えば、先頭アドレス（図中※０）に記憶される。
【００４２】
この第１エリア５１に書込記憶される情報データは、前記ＢＡＮＫアドレス以外に、例えば、言語モード、及びカメラ動作モード等の書換可能な情報データが記憶されている。言語モードとは、銀塩フィルム１５にタイトル情報を記録する際に、いかなる言語で記録すべきかを示めす情報で、カメラが販売される国別に設定できることが望ましい。カメラ動作モードは、カメラが動作開始した時に最初に設定されるカメラの動作モードである。
【００４３】
このカメラ動作モードについて、図３を用いて詳述する。前記カメラ動作モードには、測距動作、測光動作、日付データの記録形態を制御するための情報が含まれている。ビット０は、測距動作時に前記撮影レンズ１２で捉えた被写体像の撮影領域のどの部分で測距するか選択するもので、ビット０のフラッグが「０」の場合は、撮影領域の中央部のみで測距動作を行い、フラッグが「１」の場合は、撮影領域の複数のポイントで測距動作を行う。ビット１は、測光動作時に前記撮影レンズ１２で捉えた被写体像のどの部分で測光するか選択するもので、ビット１のフラッグが「０」の場合は、撮影領域の中央部のみで測光動作を行い、フラッグが「１」の場合は、撮影領域の複数のポイントで測光動作を行う。ビット２と３は、日付情報を銀塩フィルム１５に記録する際の記録形態を示しており、ビット３とビット２のフラッグが「００」の場合は、「年月日」の順番で日付記録し、フラッグが「０１」の場合は、「月日年」の順番で日付記録し、フラッグが「１０」の場合は、「日月年」の順番で日付記録するように設定する。なお、フラッグと日付順番の組み合わせは、前述に限定されるものではなく、好みによって変更ことは可能であるが、日付を表す年、月、日の順番は前述の３つの組み合わせが最適である。
【００４４】
このように、カメラを使用する国の言語や、ユーザの銀塩撮影時の測距及び測光の好みによって、カメラ動作モードを変更する必要がある。例えば、前述した測距と測光については、あの程度銀塩撮影に精通したユーザは、撮影領域の中央部１点での測距と測光を好み、銀塩撮影を余り行わないユーザは、撮影失敗の少ない撮影領域の複数ポイントでの測距と測光が望ましい。このため、銀塩撮影カメラの生産時は、測距と測光動作モードは、フラッグ「１」として撮影領域の複数のポイントで行えるように設定している。しかし、前述のように、ユーザの要求により、測距と測光動作モードを撮影領域の中央部で測距と測光を行う動作モードへの変更、及びカメラの使用国の言語への変更を行う必要がある。このような場合には、販売店やサービスステーション等で、前記カメラ動作モードのビットの書換を行うことになる。この書換を行う必要が生じる情報データは、前記第１エリア５１に書込記憶させるようにする。
【００４５】
前記第２エリア５２に書込記憶される情報データは、例えば、ＡＦパラメータ、ＡＥパラメータ、シャッターパラメータ及び電源パラメータ等の書換不可能な情報データが記憶されている。ＡＦパラメータは、測距回路２１を用いて被写体距離を測定する際に、被写体像を２像分離し、その２像間の位相差を検出するラインセンサの感度バラツキがあると正確に被写体距離を検出出来ない。そこで感度バラツキを補正するための補正値である。ＡＥパラメータは、測光回路２２を用いて被写体輝度を測定する際に、被写体輝度を電気信号に変換させるフォトダイオードの感度バラツキを補正するための補正値である。シャッターパラメータは、シャッター１４のシャッター幕を正しい秒時で走行制御するためのバラツキを補正するための補正値である。電源パラメータは、電池２７の保有電力をユーザに表示回路２３を介して図示していない表示部に表示する際の電池電圧と表示電圧の誤差補正するための補正値である。
【００４６】
この第２エリア５２に書込記録される情報データは、カメラの組立製造中に１台毎に試験計測してバラツキ補正された値で、誤まって破壊すると修復することは簡単には出来ない。もしこの第２エリア５２の情報データが破壊されると、再度カメラ本体を組立製造工程に戻し、再度試験計測して破壊されたパラメータを設定仕直す必要がある。
【００４７】
前記カメラシステム１１の不揮発性メモリ２９に対してアクセスして情報データを書込記憶させる状況としては、（１）カメラの組立製造工程、（２）カメラの完成品を検査する工程、（３）カメラを市場へ出荷する工程、及び（４）個別ユーザをサーポートする工程においてである。
【００４８】
前記（１）カメラの組立製造工程は、通常、カメラは事前に複数のユニットに分解製造され、その分解製造された各ユニットを順次カメラボディに組み込んで行く、このユニットを順次組み込む際に、例えば、ある製造工程でＡＦユニットが組み込まれ、そのＡＦユニットのバラツキによるＡＦパラメータを求めて不揮発性メモリ２９に記録する。同様に他のユニットが組み込まれる毎にそのユニットに関係するパラメータが求められて不揮発性メモリ２９に記録される。
【００４９】
これら各種パラメータを求める工程において、外部制御装置４１からの指令制御の基で、各ユニットのバラツキ検出とそのバラツキから補正パラメータが求められている。このため、外部制御装置４１と不揮発性メモリ２９は、マイコン２６，通信インターフェイス回路３１，通信ライン接続手段３２，通信ケーブル４２を介する接触通信方式によりアクセスされることになり、非接触通信方式によるアクセスを用いる必要はない。
【００５０】
前記（２）カメラの完成品を検査する工程は、完成したカメラが所定の動作が可能か、及び規定の性能を有しているか検査確認を行なう工程である。また、この検査工程では不揮発性メモリ２９の第２エリア５２に必要な情報データが記録されているかも検査する。さらに、不揮発性メモリ２９の第１エリア５１に所定のデータを書き込むことも実行される。
【００５１】
この検査工程では、前記不揮発性メモリ２９と検査するための外部制御装置４１とのアクセス方式は、様々な形態が考えられる。例えば、銀塩フィルム１５の感度データを示すＤＸコードを読み取るＤＸ端子を通信ライン接続手段３２として外部制御装置４１と接続する接触通信方式、又は非接触式通信コントローラ４３と非接触式通信ユニット３３を用いる非接触通信方式が用いられる。しかし、前記ＤＸ端子を用いて接触通信方式でカメラの検査を行うと作業が煩雑となり、かつ、カメラボディを傷付ける問題も生じるために、非接触通信方式で検査することが望ましい。
【００５２】
前記（３）カメラを市場へ出荷する工程は、完成されたカメラは梱包されて市場に出荷される。この様な状態で、例えば、カメラの販売市場の言語に書き換える場合には、従来は、接触通信方式での言語書換のために、カメラ梱包を解き、前記外部制御装置４１からの通信ケーブル４２を前記ＤＸ端子に取り付けていたが、カメラボディを傷付けたり、又はＤＸ端子に接続させるための冶具も必要で大変繁雑な作業であった。
【００５３】
このため、前記非接触通信方式を用いて梱包された状態で、カメラの不揮発性メモリ２９の情報データの書換を行うことで、作業の繁雑性とカメラボディ損傷の解消となる。
【００５４】
前記（４）個別ユーザをサポートする工程は、前述したようにユーザの好みに応じて、測距、測光及び日付表示モードの変更を行う。この場合には、ユーザが保有するカメラを傷付けることなく所望のモードに変更書き換える必要がある。
【００５５】
次に図４を用いて、外部制御装置４１によるカメラシステムの制御動作について説明する。
まず最初にオペレータは、ステップＳ１１で外部制御装置４１のキーボードやマウス等を操作して、接触通信方式又は非接触通信方式のいずれの方式で不揮発性メモリ２９にアクセスするか選択入力する。ステップＳ１２で選択入力された方式が接触通信であると判定されると、ステップＳ２５以降が実行され、非接触通信であると判定されるとステップＳ１３以降が実行される。
【００５６】
ステップＳ１２で接触通信方式が選択されたと判定されると、ステップＳ２５で接触通信が可能な状態に前記外部制御装置４１が通信ケーブル４２を介して、通信ライン接続手段３２に接続されているか判定される。このステップＳ２５の判定の結果、通信不可能状態と判定されると、ステップＳ２６で、カメラシステム１１の操作スイッチ２４に設けられている電源スイッチのオンを促す「カメラの電源をＯＮして下さい」、又は通信ケーブル４２の通信ライン接続手段３２への接続を促す「ＰＣとカメラの通信ケーブルを正しく接続して下さい」等のメッセージを外部制御装置４１に表示させる。オペレータが通信可能な状態に設定するとステップＳ２５に戻る。ステップＳ２５で通信可能と判定されると、ステップＳ２７でオペレータによりテストモードを選択入力する。次にステップＳ２８で選択入力されたテストモード内容により、ステップＳ２９〜Ｓ３３に分岐される。
【００５７】
ステップＳ２９は、初期データ設定モードの動作が実行される。この初期データ設定モードとは、カメラシステム１１に不揮発性メモリ２９が組み込まれた時、記憶されているデータの状態は定まっていない。したがって、予め定めた初期値を記録する必要があり、この初期値を記録する動作である。
【００５８】
ステップＳ３０は、ＡＦパラメータ調整モードの動作が実行される。このＡＦパラメータ調整モードの実行に先立ちカメラ本体は、所定の測距検査装置へ取り付ける。この測距検査装置は測距動作に必要なコリメータや標準チャートより構成されている。このＡＦパラメータ調整モードとは、前記測距検査装置に取り付けたカメラシステム１１の測距回路２１を測距動作実行させ、その測距結果から誤差を補正するＡＦパラメータを決定し、不揮発性メモリ２９の第２エリア５２に書込記憶させる。
【００５９】
ステップＳ３１は、ＡＥパラメータ調整モードの動作が実行される。このＡＥパラメータ調整モードの実行に先立ちカメラ本体は、基準光源を有する輝度ベンチへ取り付ける。このＡＥパラメータ調整モードとは、前記輝度ベンチに取り付けたカメラシステム１１の測光回路２２を測光動作実行させ、その測光結果から誤差を補正するＡＥパラメータを決定し、不揮発性メモリ２９の第２エリア５２に記録させる。
【００６０】
ステップＳ３２は、シャッターパラメータ調整モードの動作が実行される。このシャッターパラメータ調整モードの実行に先立ちカメラ本体は、シャッタ試験器へ取り付ける。このシャッターパラメータ調整モードとは、シャッタ試験器に取り付けたカメラシステム１１のシャッタ駆動機構１８によって、所定のシャッタースピードでシャッタ１４を駆動させ、このときの想定シャッタスピードと試験器で測定したシャッタースピードとの差から誤差を補正するシャッターパラメータを決定し、不揮発性メモリ２９の第２エリア５２に記録させる。
【００６１】
ステップＳ３３は、電源パラメータ調整モードの動作が実行される。この電源パラメータ調整モードの実行に先立ちカメラ本体は、基準電源に接続する。この電源パラメータ調整モードは、前記基準電源の電圧を変化させてカメラシステム１１を動作させて電源電圧の変化に応じた電圧値が表示されるように誤差を補正する電源パラメータを決定し、不揮発性メモリ２９に記録させる。
【００６２】
すなわち、ステップＳ２９〜Ｓ３３は、カメラの組立製造工程でカメラシステム１１に組み込まれている不揮発性メモリ２９の初期化と、測距回路２１、測光回路２２、シャッタ制御機構１８及び電源回路２８の動作誤差を補正するパラメータを設定するもので、これらデータの設定後は、変更修正ができないように不揮発性メモリ２９の第２エリア２に書込記憶すると共に、接触通信方式により外部制御装置４１の制御指令の基で行う。
【００６３】
前記ステップＳ１２で非接触通信方式が選択入力されたと判定されると、ステップＳ１３で接触通信方式による外部制御装置４１との通信が可能が判定する。接触通信方式による通信が可能と判定されると、ステップＳ１４でカメラシステム１１のマイコン２６に対して不揮発性メモリ２９へのアクセスを停止する指令を行う。このマイコン２６は不揮発性メモリ２９へのアクセス停止指令の基で非接触式通信ユニット３３の通信禁止回路４０の動作を停止させて、不揮発性メモリ２９とのアクセスを停止する。この結果、非接触式通信ユニット３３は、非接触通信コントローラ４３を介して外部制御装置４１との情報データの送受信が可能となる。一方、前記ステップＳ１３の判定の結果、接触通信が不可能と判定されると、ステップＳ１５でカメラシステム１１の電源をオフ及び通信許可端子４８をオンとする指示メッセージを表示回路２３に表示する。
【００６４】
このステップＳ１３〜Ｓ１５の処理は、基本的には外部制御装置４１が非接触通信と接触通信の両方式で同時に不揮発性メモリ２９にアクセスすることは無いが、しかし、２つの通信方式が正常に動作出来るか否かを検査するために不揮発性メモリ２９を通信ケーブル４２を介して接触通信方式で接続した状態で、非接触通信を行なうことは、カメラの組立製造工程ではあり得ることである。
【００６５】
前記ステップＳ１５のメッセージに従いオペレータがカメラの電源をオフ又は通信許可端子４８をオンにすると、動作中のマイコン２６が通信禁止回路４０の駆動を停止すると共に、不揮発性メモリ２９へのアクセスも停止される。
【００６６】
次にステップＳ１６で非接触式通信コントローラ４３と非接触式通信ユニット３３を介して、不揮発性メモリ２９のＢＡＮＫアドレス（図２参照）を読み出す。次にステップＳ１７でオペレータがアクセスを希望する不揮発性メモリ２９のアドレスを入力する。このステップＳ１７で入力したアドレスに対して、ステップＳ１８でオペレータが不揮発性メモリ２９からのデータ読出しを選択したか、又はデータの変更書換を選択したか判定する。ステップＳ１８でデータの変更書換を選択したと判定されると、ステップＳ１９で前記ステップＳ１７で入力されたアドレスが不揮発性メモリ２９の書換可能な第１エリア５１のアドレスか判定し、第１エリア５１でなく第２エリア５２のアドレスの場合は、ステップＳ２１で書換不可能エリアのアドレスとであり再度アドレス入力を促す警告メッセージを表示させてステップＳ１７に戻る。ステップＳ１９の判定の結果、第１エリア５１のアドレスと判定されると、ステップＳ２０で不揮発性メモリ２９の変更書換データをオペレータによって入力する。このステップＳ２０でオペレータが入力したアドレスの変更書換データの基で既存の記憶データを非接触式通信コントローラ４３へ転送し、不揮発性メモリ２９の書き換えを指示する。
【００６７】
前記ステップＳ１８で不揮発性メモリ２９からのデータ読み出しと判定されると、ステップＳ２３で、オペレータが前記ステップＳ１７で入力した指定アドレスを非接触式通信コントローラ４３へ転送し不揮発性メモリ２９からのデータ読み出しを指示する。非接触式通信コントローラ４３は、カメラシステム１１の非接触式通信ユニット３３との間で電磁波による送受信を行い不揮発性メモリ２９から指定アドレスのデータを読み出し、ステップＳ２４で、前記読み出したデータを外部制御装置４１のモニタに表示する。
【００６８】
つまり、カメラシステム１１の不揮発性メモリ２９に書込記憶させる各種情報データの内、不揮発性メモリ２９のＢＡＮＫアドレスと、第２エリア５２に書込記憶させるＡＦ，ＡＥ，シャッタ及び電源等に関するパラメータとを外部制御装置４１から接触通信方式で書込記憶させ、言語、カメラ動作等の情報データは、外部制御装置４１から非接触通信方式で書込、読み出し、及び変更書換を行えるようにした。
【００６９】
次に、図５を用いてカメラシステム１１のマイコン２６の動作について説明する。
カメラシステム１１の操作スイッチ２４の１つである電源スイッチがオンされるとマイコン２６は動作を開始して、ステップＳ５１で、初期設定動作が実行される。この初期設定動作は、マイコン２６の内部レジスタの初期化Ｉ／Ｏポートの初期化などが行なわれる。次にステップＳ５２で、非接触式通信ユニット３３の通信禁止回路４０を動作させて、レギュレータ３６と制御回路３９を不動作状態にして、非接触式通信コントローラ４３からの不揮発性メモリ２９へのアクセスが出来ないように設定する。次にステップＳ５３で外部制御装置４１からの通信要求がないか通信インターフェース回路３１を用いてチェックする。通信要求がある場合は、ステップＳ５４で後述するサブルーチン「テスト動作」が実行される。通信要求がない場合には、ステップＳ５５で不揮発性メモリ２９の第１エリア５１から言語モード、カメラ動作モード等のデータを読み出す。
【００７０】
次に、ステップＳ５６で通信許可端子４８の状態判定を行う。この通信許可端子４８がオン（ショート）され、グランドに接続されて、ロー（Ｌｏｗ）であると判定されると、ステップＳ５７で非接触式通信ユニット３３の通信禁止回路４０の動作を停止させ、非接触通信の動作を許可する状態とする。従って、前記非接触式通信コントローラ４３と前記非接触式通信ユニット３３との間の情報データ通信が可能となる。このステップＳ５７で非接触通信が可能となると、前記ステップＳ５６へと戻り、このステップＳ５６とＳ５７が周期的に実行される。
【００７１】
前記ステップＳ５６で前記通信許可端子４８がオフ（オープン）でハイ（Ｈｉｇｈ）と判定されると、ステップＳ５８で非接触式通信ユニット３３の通信禁止回路４０を動作させて、非接触通信の禁止状態とする。
【００７２】
次に、ステップＳ５９でレリーズスイッチがオンされているか判定し、レリーズスイッチがオンされていると判定されるとステップＳ６５以降が実行される。レリーズスイッチがオフと判定されると、ステップＳ６０で前記操作スイッチ２４の１つである電源スイッチの状態が検出され、電源スイッチがオフと判定されるとステップＳ６１以降が実行され、電源スイッチがオンと判定されるステップＳ６３以降が実行される。このステップＳ６０で電源スイッチがオフと判定されると、前記マイコン２６は動作を停止しなければならない、このマイコン２６の動作停止の前に、ステップＳ６１ではマイコン２６で非接触式通信ユニット３３の通信禁止回路４０の動作を停止して、非接触通信による不揮発性メモリ２９へのアクセスを可能とする。つまり、カメラシステム１１が動作していない時は、非接触通信方式より、いつでも不揮発性メモリ２９にアクセス出来る状態とする。  次に、ステップＳ６２で、カメラシステム１１のシステムダウン処理が実行され、マイコン２６の動作を停止させると共にシステム全体の動作が停止される。
【００７３】
前記ステップＳ６０で電源スイッチオンと判定されると、ステップＳ６３で外部制御装置４１から通信要求があるか判定する。このステップＳ６３の動作は前記ステップＳ５３と同じである。外部制御装置４１から通信要求があれば、ステップＳ６４のサブルーチン「テスト動作」が実行され、通信要求がないと判定されると、ステップＳ５６に戻る。
【００７４】
前記ステップＳ５９でレリーズスイッチがオンされていると判定されると、ステップＳ６５で、測距回路２１から被写体の距離に関する情報データを読み出し、ステップＳ６６で不揮発性メモリ２９から補正値であるＡＦパラメータを読み出し、ステップＳ６７で被写体距離情報データとＡＦパラメータより撮影レンズ１２の駆動量を算出し、この算出された撮影レンズ１２の駆動量を基に、ステップＳ６８で焦点調節機構１６を駆動制御して、撮影レンズ１２を最適焦合位置へ移動制御する。
【００７５】
次に、ステップＳ６９で、測光回路２１から被写体の輝度に関する情報データを読み出し、ステップＳ７０で不揮発性メモリ２９から補正値であるＡＥパラメータを読み出し、ステップＳ７１で輝度情報データとＡＥパラメータにより絞り値とシャッター秒時の露出演算を行う。このステップＳ７１の露出演算で求めた絞り値を用いてステップＳ７２で絞り制御機構１７を駆動制御して、絞り１３を演算した絞り開口に駆動制御し、次にステップＳ７３で、前記ステップＳ７１の露出演算で求めたシャッター秒時を用いてシャッタ制御機構１８が駆動制御して、シャッタ１４駆動させて、銀塩フィルム１５に被写体像を露光させる。
【００７６】
このステップＳ７３のシャッタの駆動制御が終了すると、ステップＳ７４で銀塩フィルム１５へ記録される撮影データが情報記録回路２０で作成される。この撮影データは、時計回路２５から読み出した日付情報や、言語モードに応じてユーザが設定したタイトル情報等である。次にステップＳ７５で露光された銀塩フィルム１５が１駒分フィルム給送機構１９の駆動制御の基で巻上げられる。この巻上げ動作中に前記情報記録回路２０を駆動制御して前記ステップＳ７４で作成された撮影データが銀塩フィルム１５に記録される。銀塩フィルム１５の１駒分の巻上げが終了すると前記ステップＳ５８に戻り、次の撮影動作に備える。
【００７７】
次に、図５を用いて前記ステップＳ５４及びＳ６４の「テスト動作」について説明する。
ステップＳ１０１で、前記ステップＳ５３又はＳ６３で外部制御装置４１からの通信要求の動作モードを通信インターフェース回路３１からマイコン２６に入力する。ステップＳ１０２でマイコン２６に入力された動作モードが不揮発性メモリ２９へのアクセスを禁止する禁止モードであるか判定する。アクセス禁止モードと判定されるとステップＳ１０３で非接触通信が出来るようにするため非接触式通信ユニット３３の通信禁止回路４０の動作を停止する。これにより、外部制御装置４１は、非接触式通信コントローラ４３と非接触式通信ユニット３３を用いて不揮発性メモリ２９にアクセス可能となる。又、不揮発性メモリ２９のアクセス禁止モードを外部制御装置４１が送信している間は、不揮発性メモリ２９に対してマイコン２６は通信しない。従って、２つの通信方式（非接触通信方式と接触通信方式）で同時に不揮発性メモリ２９にアクセスする状態は発生しない。前記ステップＳ１０２で不揮発性メモリ２９へのアクセス禁止モードでないと判定されると、ステップＳ１０４で前記通信禁止回路４０を動作させて非接触通信による不揮発性メモリ２９へのアクセスが出来ないようにする。
【００７８】
次にステップＳ１０５で動作モードが初期データ設定モードであるか判定し、初期データ設定モードならばステップＳ１０６で外部制御装置４１からマイコン２６を介して不揮発性メモリ２９へ記録する初期データを入力し、ステップＳ１０７においてその初期データを不揮発性メモリ２９に記録し、ステップＳ１０１へ戻る。
【００７９】
前記ステップＳ１０５で初期データ設定モードでないと判定されると、ステップＳ１０８で動作モードがＡＦパラメータ設定モードであるか判定され、ＡＦパラメータ設定モードであると判定されると、ステップＳ１０９で測距回路２１を駆動制御して距離測定を行わせる。このときカメラ本体は、検査装置に取りつけられて標準距離に設置された被写体の距離測定を行わせ、前記測距回路２１で測定した距離の誤差を補正するＡＦパラメータを演算算出させる。このＡＦパラメータの演算算出は、測距回路２１での測距情報を外部制御装置４１に送信して、外部制御装置４１に内蔵されている演算手段の基で実行する。前記ステップＳ１０９で算出されたＡＦパラメータは、ステップＳ１１０において不揮発性メモリ２９に記録されて、前記ステップＳ１０１へ戻る。
【００８０】
前記ステップＳ１０８でＡＦパラメータ設定モードでないと判定されると、ステップＳ１１１で動作モードがＡＥパラメータ設定モードであるか判定され、ＡＥパラメータ設定モードであると判定されると、ステップＳ１１２で基準光源を用いて測光回路２２を駆動制御して測光を行わせる。このときカメラ本体は、基準測定用ベンチに取りつけられて基準光源の輝度測定を行わせ、前記測光回路２２で測定した輝度値と基準光源の輝度値との誤差を補正するＡＥパラメータを演算算出させる。このＡＥパラメータの演算算出は、測光回路２１での測光情報を外部制御装置４１に送信して、外部制御装置４１に内蔵されている演算手段の基で実行する。前記ステップＳ１１２で算出されたＡＥパラメータは、ステップＳ１１３において不揮発性メモリ２９に記録されて、前記ステップＳ１０１へ戻る。
【００８１】
前記ステップＳ１１１でＡＥパラメータ設定モードでないと判定されると、ステップＳ１１４で動作モードがシャッタパラメータ設定モードであるか判定され、シャッタパラメータ設定モードであると判定されると、ステップＳ１１５でシャッタ制御機構１８を駆動制御してシャッタ１４を所定の秒時で駆動させる。このときカメラ本体は、シャッタ試験器に取り付けられて前記シャッタ制御機構１８で駆動させたシャッタ秒時とシャッタ試験器で測定した秒時の誤差を補正するシャッタパラメータを演算算出させる。このシャッタパラメータの演算算出は、シャッタ制御機構１８で設定した秒時とシャッタ試験器で測定した秒時の情報を外部制御装置４１に送信して、外部制御装置４１に内蔵されている演算手段の基で実行する。前記ステップＳ１１１５で算出されたシャッタパラメータは、ステップＳ１１６において不揮発性メモリ２９に記録されて、前記ステップＳ１０１へ戻る。
【００８２】
前記ステップＳ１１４でシャッタパラメータ設定モードでないと判定されると、ステップＳ１１７で動作モードが電源パラメータ設定モードであるか判定され、電源パラメータ設定モードであると判定されると、ステップＳ１１８で電源電圧の変動測定を行う。この電源電圧測定は、カメラシステム１１を電源電圧が変更可能な基準電源で動作させ、その電源電圧を可変変更させて、その可変変更電圧を図示していないバッテリチェッカーを監視して、供給された電源電圧をバッテリチェッカーが表示するか検査し、正しい電圧値をバッテリチェッカーが表示するように誤差補正する電源パラメータを演算算出させる。前記ステップＳ１１８で算出された電源パラメータは、ステップＳ１１９において不揮発性メモリ２９に記録されて、前記ステップＳ１０１へ戻る。
【００８３】
前記ステップＳ１１７で動作モードが電源パラメータ設定モードでないと判定されると、ステップＳ１２０では動作モードがテストモードの終了命令であるか判定する。終了命令と判定されると、前記ステップＳ１０１に戻り、図４に示した前記ステップＳ５４またはＳ７７以降が実行される。
【００８４】
以上説明したように本発明のカメラシステムに内蔵されている不揮発性メモリへの非接触アクセスは、カメラの組立製造時に被写体撮影の撮影画質に影響する光学系の合焦、絞り及びシャッタ秒時等のパラメータに関係する情報データは、接触式通信方式で外部制御装置から書込記憶させ、カメラの組立完成後に設定又は設定変更可能とする撮影モード、日付、言語等は、カメラを傷付けることなく非接触式通信方式により外部制御装置から書換記憶可能となった。
【００８５】
また、非接触式通信方式としては、電波を用いた通信方法が用いられており、所定の通信範囲で容易に情報データの変更書換も容易に行える。
【００８６】
次に、本発明に係るカメラシステムの非接触式通信ユニットのカメラボディーへの配置位置について図７乃至図９を用いて説明する。図７は本発明に係るカメラシステムを搭載するカメラボディーの外観形状構成を示し、図７（ａ）は正面斜視図で、図７（ｂ）は背面斜視図である。図８は本発明に係るカメラシステムの非接触式通信ユニットをカメラボディーの正面部に配置した例を示す正面斜視図で、図９は本発明に係るカメラシステムの非接触式通信ユニットをカメラボディーの背面部に配置した例を示す背面斜視図である。
【００８７】
最初に図７を用いてカメラボディー７１の外観形状について説明する。カメラボディー７１は、全体形状が略直方体で、正面部７２の中央には、被写体を銀塩フィルムに露光投射させる撮影レンズ７３ａが内蔵されたレンズ鏡胴７３が配置されている。このレンズ鏡胴７３は、被写体撮影時のテレモードやワイドモードによって、カメラボディー７１の正面部７２の平面から伸縮自在に配置されている。この正面部７２の上部には、撮影者が被写体像を確認するための被写体光を取り込む光学系を内蔵したファインダー窓７２ａと、ストロボ発光部７２ｂ等が設けられている。このカメラボディー７１の上面部７４には、レリーズボタン７４ａが設けられており、このレリーズボタン７４ａを押圧すると、測光及び測距すると共に、シャッタ及び絞り駆動が行われる。なお、図中の符号７５と７６は、カメラボディー７１の側面部で、符号７７は底面部である。カメラボディー７１の背面部７８の上部には、前記ファインダー窓７２ａで取り込んだ被写体光を撮影者が確認するファインダー接眼部７２ｃが設けられている。
【００８８】
このように形状構成のカメラボディー７１の内部には、図示していないが図１で説明したカメラシステム１１が内蔵されている。このカメラシステム１１を内蔵したカメラボディー７１は、図７（ａ）の点線で示す直方体の梱包箱７９に収納包装して出荷される。
【００８９】
この梱包箱７９にカメラボディー７１が収納された状態で、前記外部制御装置４１で非接触式通信コントローラ４３と前記カメラシステム１１の非接触式通信ユニット３３とを用いて非接触通信方式で前記カメラシステム１１の不揮発性メモリ２９の情報データの検査や書き換えを行うことになる。
【００９０】
この場合に、前記カメラシステム１１の非接触式通信ユニット３３は、前記非接触式通信コントローラ４３と近接でき、かつ、電磁波送受信が最も効率の良いカメラボディー７１に設ける必要があり、前記非接触式通信ユニット３３のカメラボディー７１への配置位置としては、前記レンズ鏡胴７３が設けられた前面部７２、上面部７１，左右側面部７５，７６，底面部７７及び背面部７８が配置可能な面となる。つまり、前記梱包箱７９に収納された状態で非接触式通信コントローラ４３と非接触通信を行うためには、梱包箱７９の６面に対向する平行して収納されるカメラボディー７１の平面の内側が非接触式通信ユニット３３の配置可能位置となる。
【００９１】
次に、図８を用いて、前記カメラボディー７１のレンズ鏡胴７３と前面部７２に前記カメラシステム１１の非接触式通信ユニット３３を配置した例を説明する。なお、図中カメラボディー７１及びレンズ鏡胴部７３は、点線で示している。
【００９２】
前記カメラシステム１１の非接触式通信ユニット３３は、フレキシブル基板８１に形成されている。このフレキシブル基板８１は、前記非接触式通信ユニット３３の通信コイル３４に相当するコイルパターン８２が形成されたアンテナ部８１ａと、前記非接触式通信ユニット３３の通信コイル３４を除く、整流回路３５，レギュレータ３６，復調回路３７，変調回路３８、制御回路３９及び通信禁止回路４０を構成する集積回路素子（以下、ＩＣ素子と称する）８４と、前記不揮発性メモリ（ＥＥＰＲＯＭ）２９及び前記マイコン２６が搭載され、かつ、それらＩＣ素子８４，不揮発性メモリ２９及びマイコン２６を接続する配線パターンを有する回路部８１ｃと、前記アンテナ部８１ａと回路部８１ｃを接続する配線パターン８３が形成された接続部８１ｂとからなっている。
【００９３】
前記アンテナ部８１ａは、前記カメラボディー７１のレンズ鏡胴部７３の撮影レンズ７３ａの周辺部前面に配置する。このため、前記アンテナ部８１ａの中央部には、前記撮影レンズ７３ａが露出するように開口８１ｄが穿設されている。前記接続部８１ｂは、レンズ鏡胴部７３の図示していない撮影レンズの外側に沿って配置し、前記回路部８１ｃは、前記カメラボディー７１の前面部７２の内側に配置している。
【００９４】
このように、前記非接触式ユニット３３の通信コイル３４を構成するアンテナ部８１ａは、前記レンズ鏡胴部７３の外装と前記撮影レンズ７３ａの露出面との間の比較的狭い位置に効率的に配置でき、かつ、梱包箱７９に収納時には、前記レンズ鏡胴部７３と前記非接触式通信コントローラ４３とを梱包箱７９を介して最も近接させることが可能となる。
【００９５】
次に、図９を用いて、前記カメラボディー７１の背面部７８に前記カメラシステム１１の非接触式通信ユニット３３を配置した例を説明する。なお、図中カメラボディー７１及び背面部７８は、点線で示している。
【００９６】
前記カメラボディー７１の背面部７８の内側に平面状の印刷配線基板９１を配置する。この印刷配線基板９１には、前記非接触式通信ユニット３３の通信コイル３４を除く各種回路を構成する前記ＩＣ素子８４と、不揮発性メモリ２９及びマイコン２６を搭載すると共に、それらを接続する図示していない配線パターンが設けられている。前記印刷配線基板９１の外周面で、前記ＩＣ素子８４，不揮発性メモリ２９及びマイコン２６を囲むように、前記通信コイル３４を形成するコイルパターン９２を形成し、このコイルパターン９２は、前記ＩＣ素子８４に配線パターンで接続されている。
【００９７】
前記カメラボディー７１の背面は、カメラボディー７１の６つの平面の中で最も広い面積の平面で有り、この背面部７８に前記非接触式通信ユニット３３と不揮発性メモリ２９及びマイコン２６を設けることにより、比較的面積の広い印刷配線基板９１を用いることができ、この印刷配線基板９１に搭載する各種電気回路部品の配置と配線パターンの配置が安易となる。さらに、通信コイル３４を形成するコイルパターン９２は、印刷配線基板９１の外周面に沿って設けられるために、形状が大きく形成でき、前記非接触式通信コントローラ４３との電磁送受信範囲が広くなる。
【００９８】
なお、前記印刷配線基板９１に前記非接触式通信ユニット３３を構成するＩＣ素子８４，不揮発性メモリ２９及びマイコン２６以外の前記カメラシステム１１を構成する他の各種回路も搭載配置することも可能である。
【００９９】
また、この印刷配線基板９１の形状寸法を変形成形して、前記カメラボディー７１の他の平面である上面部７４，及び左右側面部７５，７６に配置することも可能である。
【０１００】
以上説明したように、前記非接触式通信ユニット３３は、カメラボディー７１の各平面部に配置することで、前記非接触式通信コントローラ４３との電磁波送受信が容易となり、完成カメラが梱包箱７１に収納された状態で、カメラシステム１１の不揮発性メモリ２９に書き込み記憶されている各種情報データの検査確認、及び書き換え等が梱包箱７１を開梱することなく実施でき、梱包箱７１やカメラボディー７１を傷つけることもなくなる。
【０１０１】
以上のように本発明の実施の形態により、カメラの組立製造時は、第１の通信手段を用いて各種制御データの書き込みが可能で、カメラ完成後の各種情報データの検査又は変更書換を行う際には、第２の通信手段を用いてデータの検査又は変更書換が可能である。
なお、本発明の実施形態は、銀塩撮影カメラを例に用いて説明したが、電子撮像カメラにおいても、電子撮像カメラの動作や操作を制御する各種情報データを書き込み記憶している不揮発性メモリに対しても非接触式通信方式を用いて情報データの変更書換が可能で、本発明の非接触式通信方式による不揮発性メモリの非接触アクセスが採用できる。
【０１０２】
本発明では、不揮発性メモリとしてＥＥＰＲＯＭを使用した。ＥＥＰＲＯＭ以外の記憶素子としてＦｅＲＡＭ（Ｆｅｒｒｏｅｌｅｃｔｒｉｃ  Ｒａｎｄｏｍ  Ａｃｃｅｓｓ  Ｍｅｍｏｒｙ）強誘電体不揮発性メモリも利用できる。
【０１０３】
さらに、銀塩撮影又は電子撮像のカメラ以外に、不揮発性メモリに機器の動作や操作を制御する各種情報データを書込記憶させている各種電子機器においても、それら電子機器の完成品の状態で不揮発性メモリに記憶されている情報データの変更書込が可能で、本発明の非接触式通信方式による不揮発性メモリの非接触アクセスが採用できる。
【０１０４】
【発明の効果】
本発明によれば、カメラシステムの組立製造時にシステム内部の不揮発性メモリにアクセスする際には接触式の通信方式を用い、カメラシステムの完成後の各種検査時やカメラシステムの仕様の変更を要する場合にこの不揮発性メモリにアクセスする際には非接触式の通信方式を用いることが出来る。従って、本発明によれば、カメラシステムのボディを傷つけることなく、このカメラシステムの内部に設けられた不揮発性メモリにアクセスすることができる。さらに、本発明によれば、カメラシステムが梱包された状態であっても、このカメラシステムの内部に設けられた不揮発性メモリにアクセスすることができる。
【図面の簡単な説明】
【図１】本発明に係るカメラシステムの一実施形態の全体構成を示すブロック図。
【図２】本発明のカメラシステムに用いる不揮発性メモリのマップを説明する説明図。
【図３】本発明のカメラシステムに用いる不揮発性メモリに記憶するカメラ動作モードのデータ内容を説明する説明図。
【図４】本発明に係るカメラシステムの全体動作を説明するフローチャート。
【図５】本発明に係るカメラシステムのマイクロコンピュータの動作を説明するフローチャート。
【図６】本発明に係るカメラシステムのテスト動作を説明するフローチャート。
【図７】本発明に係るカメラシステムを搭載するカメラボディーの外観形状構成を示す斜視図。
【図８】本発明に係るカメラシステムの非接触式通信ユニットをカメラボディーの正面部に配置した例を示す正面斜視図。
【図９】本発明に係るカメラシステムの非接触式通信ユニットをカメラボディーの背面部に配置した例を示す背面斜視図。
【符号の説明】
１１…カメラシステム
１２…撮影レンズ
１３…絞り
１４…シャッタ
１５…銀塩フィルム
１６…焦点調節機構
１７…絞り制御機構
１８…シャッタ制御機構
１９…フィルム給送機構
２０…情報記録回路
２１…測距回路
２２…測光回路
２３…表示回路
２４…操作スイッチ
２５…時計回路
２６…マイクロコンピュータ
２７…電池
２８…電源回路
２９…不揮発性メモリ
３０…通信ライン
３１…通信インターフェイス回路
３２…通信ライン接続手段
３３…非接触式通信ユニット
３４…通信コイル
３５…整流回路
３６…レギュレータ
３７…復調回路
３８…変調回路
３９…制御回路
４０…通信禁止回路
４１…外部制御装置
４２…通信ケーブル
４３…接触通信コントローラ
４４…通信インターフェイス
４５…復調回路
４６…変調回路
４７…通信アンテナ
４８…通信許可端子
【図１】
0004493166.tif 000002
【図２】
0004493166.tif 000003
【図３】
0004493166.tif 000004
【図４】
0004493166.tif 000005
【図５】
0004493166.tif 000006
【図６】
0004493166.tif 000007
【図７】
0004493166.tif 000008
【図８】
0004493166.tif 000009
【図９】
0004493166.tif 000010